(57)【要約】【課題】  生地を掛け下げる掛け下げ部に、蒸気が生地の表裏間を通気し得るようにすることで、蒸し加工後の生地に色むらや折り目が発生することを防止することができるこれまでにない画期的な染色材を生地に定着させるための蒸し加工方法並びに染色材を生地に定着させるための蒸し加工装置を提供すること。【解決手段】  捺染加工により捺染した染色材を生地１に定着させるための蒸し加工方法であって、前記捺染加工した生地１を掛け下げる掛け下げ部３の少なくとも生地１が当接する部分に、この生地１に接触させる蒸気が通気可能な通気表面部５を設け、この掛け下げ部３の通気表面部５に当接するように前記生地１を掛け下げ、この生地１に蒸気を接触させることで、前記生地１が前記通気表面部５に当接する部分における染色材の定着むらの発生若しくは折り目の発生を抑制する染色材を生地に定着させるための蒸し加工方法。【選択図】      図１
2005290595.tif 000002
【特許請求の範囲】
【請求項１】
捺染加工により捺染した染色材を生地に定着させるための蒸し加工方法であって、前記捺染加工した生地を掛け下げる掛け下げ部の少なくとも生地が当接する部分に、この生地に接触させる蒸気が通気可能な通気表面部を設け、この掛け下げ部の通気表面部に当接するように前記生地を掛け下げ、この生地に蒸気を接触させることで、前記生地が前記通気表面部に当接する部分における染色材の定着むらの発生若しくは折り目の発生を抑制することを特徴とする染色材を生地に定着させるための蒸し加工方法。
【請求項２】
前記掛け下げ部に生地を掛け下げる際に当接する部分に通気性を有する通気材を付設し若しくはこの通気材で前記掛け下げ部を構成したことを特徴とする請求項１記載の染色材を生地に定着させるための蒸し加工方法。
【請求項３】
前記生地を掛け下げる掛け下げ基材の外周面に前記通気材を被覆して前記掛け下げ部を構成したことを特徴とする請求項１，２のいずれか１項に記載の染色材を生地に定着させるための蒸し加工方法。
【請求項４】
前記通気材として、耐水性を有する紙材を採用することを特徴とする請求項２，３のいずれか１項に記載の染色材を生地に定着させるための蒸し加工方法。
【請求項５】
捺染加工により染色材を捺染した生地を掛け下げる掛け下げ部と、前記生地に接触させる蒸気を発生する蒸気発生部とから成る蒸し加工装置であって、前記掛け下げ部の前記生地が当接する部分に、この生地に接触させる蒸気が通気可能な通気表面部を設けたことを特徴とする染色材を生地に定着させるための蒸し加工装置。
【請求項６】
前記掛け下げ部の前記生地が当接する部分に通気性を有する通気材を付設し若しくはこの通気材で前記掛け下げ部を構成したことを特徴とする請求項５記載の染色材を生地に定着させるための蒸し加工装置。
【請求項７】
前記掛け下げ部を、少なくとも前記生地を掛け下げる掛け下げ基材と、この掛け下げ基材の外周面に被覆される通気性を有する通気材とから構成したことを特徴とする請求項５，６のいずれか１項に記載の染色材を生地に定着させるための蒸し加工装置。
【請求項８】
前記通気材として、耐水性を有する紙材を採用したことを特徴とする請求項６，７のいずれか１項に記載の染色材を生地に定着させるための蒸し加工装置。
【発明の詳細な説明】
【技術分野】
【０００１】
本発明は、染色材を生地に定着させるための蒸し加工方法並びに染色材を生地に定着させるための蒸し加工装置に関するものである。
【背景技術】
【０００２】
例えば生地に所定の模様を施す場合には、生地に色糊等の染色材を模様状に印刷し（捺染工程）、この捺染工程後に、生地に前記染色材を定着させるための蒸し加工を行うことで、所定の模様を有した生地を形成する。
【０００３】
前記蒸し加工は、蒸し器の中に捺染加工した生地を収納し、この蒸し器内を蒸気で満たし若しくは生地に向けて蒸気を吹きかけることで行っており、通常は、多量の生地（長い生地）を効率良く蒸し加工できるように、蒸し器内に生地を掛け下げるための掛け紐体を複数本並設し、この掛け紐体に所定長さを有する生地を湾曲させつつ順次掛け下げた状態で行っている。
【発明の開示】
【発明が解決しようとする課題】
【０００４】
ところで、前述の生地を掛け下げるための掛け紐体は、高温高湿状態に耐え得るように、例えばポリエステル製のチューブにピアノ線を通して成るものを使用している。
【０００５】
このポリエステル製のチューブにピアノ線を通して成る掛け紐体は、耐熱性，耐蝕性に秀れることから、長期間に亙って生地の蒸し加工に使用することができる。
【０００６】
しかしながら、この掛け紐体に捺染加工を施した生地を掛け下げて蒸し加工を行うと、ポリエステル製チューブは当然ながら通気性を有しないため、この当接部分においては蒸気が通過できない状態となる。
【０００７】
即ち、生地の掛け紐体と当接しない部分においては、蒸気が生地を通過しそのまま蒸気が外部へ放出されることで、この蒸気の熱により生地に染色材を良好に定着させることができることとなるが、通気性を有しないポリエステル製チューブと生地との当接部においては、生地に接触する蒸気が前記生地を通過してポリエステル製チューブの表面に達した際、この蒸気が外部にスムーズに放出されずにこのポリエステル製チューブの表面に溜まってしまうという問題点がある。
【０００８】
つまり、生地と掛け紐体との当接部において水分が過剰に溜まった状態となり、この溜まった水分によって生地に紐状の色むらが生じてしまう。
【０００９】
また、ポリエステル製チューブは前述のように通気性を有しないため、生地との当接部がその他の部位に比べて高温になり易く、そのため、この生地の当接部に折り目がついてしまうという問題点がある。
【００１０】
従って、従来は、捺染加工によって生地に所望の模様を捺染することができても、染色材を定着させるための蒸し加工において生地に色むらや折り目が発生し易く、よって、商品価値の低下につながるなどの懸念を有していた。
【００１１】
そこで、本発明は、上記問題点に鑑みて鋭意検討，研究を繰り返すことでこれを解決したもので、生地を掛け下げる掛け下げ部に、蒸気が生地の表裏間を通気し得るようにすることで、蒸し加工後の生地に色むらや折り目が発生することを防止することができるこれまでにない画期的な染色材を生地に定着させるための蒸し加工方法並びに染色材を生地に定着させるための蒸し加工装置を提供することを目的としている。
【課題を解決するための手段】
【００１２】
添付図面を参照して本発明の要旨を説明する。
【００１３】
捺染加工により捺染した染色材を生地１に定着させるための蒸し加工方法であって、前記捺染加工した生地１を掛け下げる掛け下げ部３の少なくとも生地１が当接する部分に、この生地１に接触させる蒸気が通気可能な通気表面部５を設け、この掛け下げ部３の通気表面部５に当接するように前記生地１を掛け下げ、この生地１に蒸気を接触させることで、前記生地１が前記通気表面部５に当接する部分における染色材の定着むらの発生若しくは折り目の発生を抑制することを特徴とする染色材を生地に定着させるための蒸し加工方法に係るものである。
【００１４】
また、前記掛け下げ部３に生地１を掛け下げる際に当接する部分に通気性を有する通気材６を付設し若しくはこの通気材６で前記掛け下げ部３を構成したことを特徴とする請求項１記載の染色材を生地に定着させるための蒸し加工方法に係るものである。
【００１５】
また、前記生地１を掛け下げる掛け下げ基材３Ａの外周面に前記通気材６を被覆して前記掛け下げ部３を構成したことを特徴とする請求項１，２のいずれか１項に記載の染色材を生地に定着させるための蒸し加工方法に係るものである。
【００１６】
また、前記通気材６として、耐水性を有する紙材６を採用することを特徴とする請求項２，３のいずれか１項に記載の染色材を生地に定着させるための蒸し加工方法に係るものである。
【００１７】
また、捺染加工により染色材を捺染した生地１を掛け下げる掛け下げ部３と、前記生地１に接触させる蒸気を発生する蒸気発生部とから成る蒸し加工装置であって、前記掛け下げ部３の前記生地１が当接する部分に、この生地１に接触させる蒸気が通気可能な通気表面部５を設けたことを特徴とする染色材を生地に定着させるための蒸し加工装置に係るものである。
【００１８】
また、前記掛け下げ部３の前記生地１が当接する部分に通気性を有する通気材６を付設し若しくはこの通気材６で前記掛け下げ部３を構成したことを特徴とする請求項５記載の染色材を生地に定着させるための蒸し加工装置に係るものである。
【００１９】
また、前記掛け下げ部３を、少なくとも前記生地１を掛け下げる掛け下げ基材３Ａと、この掛け下げ基材３Ａの外周面に被覆される通気性を有する通気材６とから構成したことを特徴とする請求項５，６のいずれか１項に記載の染色材を生地に定着させるための蒸し加工装置に係るものである。
【００２０】
また、前記通気材６として、耐水性を有する紙材６を採用したことを特徴とする請求項６，７のいずれか１項に記載の染色材を生地に定着させるための蒸し加工装置に係るものである。
【発明の効果】
【００２１】
本発明は上述のようにするから、捺染加工後の生地を掛け下げる掛け下げ部の少なくとも生地が当接する部位に設けた通気表面部を介し、前記蒸気が生地を通過することができ且つ生地と掛け下げ部との間に水分が過剰に溜まってしまう事態が生じないため、染色材の定着が阻害されることがなく、よって、蒸し加工後の生地に色むらが発生することを防止することができる。
【００２２】
また、生地は蒸気が通気可能な通気表面部と当接していることで、生地と通気表面部との当接部の温度が他の部分に比べて非常に高い温度となってしまうことがなく、これにより、前記当接部に折り目が発生してしまうことを防止することができる画期的な染色材を生地に定着させるための蒸し加工方法となる。
【００２３】
また、請求項２記載の発明においては、簡易な構成にして掛け下げ部に前記通気表面部を設けることができ、前記当接する部分に通気材を付設する場合には、既存の掛け下げ部に通気材を付設することで本発明の作用効果を発揮することができ、また、通気材で掛け下げ部を構成する場合には、例えば通気性を有しない部材に通気材を付設する場合に比して、より一層蒸気の通過を良好として本発明の作用効果を一層確実に発揮することができる画期的な染色材を生地に定着させるための蒸し加工方法となる。
【００２４】
また、請求項３記載の発明においては、掛け下げ基材によって確固に生地を掛け下げ支承することができ且つ前記通気材によって生地に接触させる蒸気が通気可能となって本発明の作用効果を発揮することができる画期的な染色材を生地に定着させるための蒸し加工方法となる。
【００２５】
また、請求項４記載の発明においては、この紙材を形成する繊維質の隙間によって適度な通気性を確保できることとなり、また、紙材は軽量であることから、掛け下げ部に特別な施工を要せずに通気材を付設できることとなり、よって、例えば既存の掛け下げ部に対しても容易に紙材を付設してより簡易に前記通気表面部を設けることができる画期的な染色材を生地に定着させるための蒸し加工方法となる。
【００２６】
また、請求項５〜８記載の発明においては、蒸気発生部で発生させた蒸気を生地に接触させた際、この蒸気は掛け下げ部の前記生地が当接する部分に設けた通気表面部を介して生地の表裏間を行き来させることができ、これにより、染色材を生地に定着させるための蒸し加工を色むらや折り目の発生なく行うことが可能となる画期的な染色材を生地に定着させるための蒸し加工装置となる。
【発明を実施するための最良の形態】
【００２７】
好適と考える本発明の実施形態（発明をどのように実施するか）を、図面に基づいて本発明の作用を示して簡単に説明する。
【００２８】
捺染加工により捺染した生地１を掛け下げ部３に掛け下げて前記生地１に蒸気を接触させると、この蒸気は例えば生地１の表面から裏面に通過して、次いで前記掛け下げ部３の少なくとも生地１と当接する部分に設けた通気表面部５を通過することとなる。
【００２９】
また、通気表面部５を通過した蒸気は、生地１の裏面から表面に通過して外部へ放出されることとなる。
【００３０】
即ち、生地１に接触させる蒸気は、例えば生地１の表面から裏面に通過して通気表面部５との当接部で溜まったりするのではなく、そのまま通気表面部５内を通過して蒸気の状態で再び生地１を通過して外部へ放出させることができることとなる。
【００３１】
また、生地１に接触させる蒸気が、通気表面部５を介して再び外部へ放出できることから、例えば生地１と通気表面部５との当接部のみが非常に高い温度状態となることを抑制することができ、これにより、生地１に折り目がついてしまうことを防止することができる。
【００３２】
従って、本発明は、生地１と通気表面部５の当接部に水分が過剰に溜まることにより染色材の定着を妨げ、これにより、前記生地１に色むらを発生したり、生地１と通気表面部５の当接部の温度が他の部分よりも高温状態となり、これにより、前記生地１に折り目がついたりすることを防止して商品価値の高い生地を形成することができる画期的な染色材を生地に定着させるための蒸し加工方法並びに染色材を生地に定着させるための蒸し加工装置となる。
【００３３】
また、例えば、前記掛け下げ部３に生地１を掛け下げる際に当接する部分に通気性を有する通気材６を付設し若しくはこの通気材６で前記掛け下げ部３を構成すれば、簡易な構成にして掛け下げ部３に前記通気表面部５を設けることができ、前記当接する部分に通気材６を付設する場合には、既存の掛け下げ部に通気材６を付設することで本発明の作用効果を発揮することができ、また、通気材６で掛け下げ部３を構成する場合には、例えば通気性を有しない部材に通気材６を付設する場合に比して、より一層蒸気の通過を良好として本発明の作用効果を一層確実に発揮できることとなるなど、一層実用的となる。
【００３４】
また、例えば、前記生地１を掛け下げる掛け下げ基材３Ａの外周面に前記通気材６を被覆すれば、掛け下げ基材３Ａによって確固に生地を掛け下げ支承することができ且つ前記通気材６によって生地１に接触させる蒸気が通気可能となって本発明の作用効果を発揮できることとなるなど、一層実用的となる。
【００３５】
また、例えば、前記通気材６として、耐水性を有する紙材６を採用すれば、この紙材６を形成する繊維質の隙間によって適度な通気性を確保できることとなり、また、紙材６は軽量であることから、掛け下げ部３に特別な施工を要せずに通気材６を付設できることとなり、よって、例えば既存の掛け下げ部に対しても容易に紙材６を付設してより簡易に前記通気表面部５を設けられることとなるなど、一層実用的となる。
【実施例】
【００３６】
本発明の具体的な実施例について図面に基づいて説明する。
【００３７】
本実施例は、捺染加工により捺染した染色材を生地１に定着させるための蒸し加工方法に関するもので、前記捺染加工した生地１を掛け下げる掛け下げ部３の少なくとも生地１が当接する部分に、この生地１に接触させる蒸気が通気可能な通気表面部５を設け、前記生地１に蒸気を接触させることで、前記生地１が前記通気表面部５に当接する部分における染色材の定着むらの発生若しくは折り目の発生を抑制する染色材を生地に定着させるための蒸し加工方法に係るものである。
【００３８】
先ず、本実施例の蒸し加工方法の実施に使用する蒸し加工装置について述べる。
【００３９】
本実施例の蒸し加工装置は、捺染加工により染色材を捺染した生地１を掛け下げる掛け下げ部３と、前記生地１に接触させる蒸気を発生する蒸気発生部とから成り、前記掛け下げ部３の前記生地１が当接する部分に、この生地１に接触させる蒸気が通気可能な通気表面部５を設けた構成としている。
【００４０】
具体的には、前記掛け下げ部３の前記生地１が当接する部分に蒸気を略均一に通気可能な通気表面部５を設けた構成としている。
【００４１】
即ち、掛け下げ部３に生地を掛け下げる際に当接する部分に通気性を有する通気材６を付設し若しくはこの通気材６で前記掛け下げ部３を構成している。
【００４２】
本実施例では、前記掛け下げ部３を、少なくとも前記生地１を掛け下げる掛け下げ基材３Ａと、この掛け下げ基材３Ａの外周面に被覆される通気性を有する通気材６とから構成している。
【００４３】
掛け下げ基材３Ａとしては、耐熱性，耐蝕性を有する素材で形成される筒状体，棒状体若しくは線状体を採用している。
【００４４】
具体的には、ポリエステル製チューブ３ａにピアノ線３ｂを通したものを採用している。
【００４５】
尚、本実施例では、ポリエステル製チューブ３ａにピアノ線３ｂを通したものを掛け下げ部３として採用したが、耐熱性，耐蝕性を有するものであれば、適宜採用しても良い。
【００４６】
即ち、前記ポリエステル製チューブ３ａの外周面に前記通気材６を被覆した構成としている。
【００４７】
この通気材６はポリエステル製チューブ３ａの外周面にして生地１が当接することとなる部分のみに被覆状態で設けても良いし（図２参照）、ポリエステル製チューブ３ａの外周面全周に被覆状態で設けても良い（図３参照）。
【００４８】
通気材６としては、耐水性に秀れる紙材６を採用している。
【００４９】
即ち、この紙材６を形成する繊維質同士の隙間によって適度な通気性が確保される。
【００５０】
尚、本実施例では、通気材６として紙材６を採用したが、蒸気を通過し得るものであれば適宜採用しても良く、例えば、綿布を採用しても良い。即ち、ポリエステル製チューブにピアノ線を通した基材に綿布を巻くことで、生地にかかる熱伝導率を低くすることができる。
【００５１】
尚、本実施例の蒸気発生部としては、既存の蒸気発生装置を採用している。
【００５２】
次いで、本実施例の作用について述べる。
【００５３】
捺染加工により捺染した生地１を掛け下げ部３に掛け下げて前記生地１に蒸気を接触させると、この蒸気は生地１の表面から裏面に向けて通過し、そのまま紙材６内に浸透する。
【００５４】
そして、この紙材６内に浸透した蒸気は、生地１の裏面から表面に向けて通過し、そのまま生地１の外部へ放出される。
【００５５】
即ち、生地１の表裏間で蒸気が良好に行き来できることによって、生地１と掛け下げ部３との当接部においても、前記当接部以外の部位と同様に、蒸気を良好に通気できることとなる。
【００５６】
従って、例えば、従来のように、通気性を有しない掛け下げ部と生地との当接部に水分が過剰に溜まり、この溜まった水分によって染色材の定着が阻害されたり、また、前記当接部がその他の部位に比べて非常に高温となったりすることを防止できるため、色むらや折り目のない商品価値の高い生地を形成することができる。
【００５７】
以上のように、本実施例は、これまで多少の色むらや折り目の発生は仕方ないとされていた、捺染加工後の蒸し加工において、簡易な構成でコストをほとんどかけずに、前記色むらや折り目の発生を防止することができ、既存の染色材を生地に定着させるための蒸し加工装置に対しても、簡易に本実施例の作用効果を付与することができる画期的な染色材を生地に定着させるための蒸し加工方法及び染色材を生地に定着させるための蒸し加工装置となる。
【００５８】
尚、本実施例における蒸し加工は、生地の種類に応じておよそ１００℃〜１３０℃の温度範囲で行うことが好ましい。
【００５９】
また、本発明は、本実施例に限られるものではなく、各構成要件の具体的構成は適宜設計し得るものである。
【図面の簡単な説明】
【００６０】
【図１】本実施例の説明斜視図である。
【図２】本実施例の要部の拡大説明断面図である。
【図３】本実施例の要部の拡大説明断面図である。
【符号の説明】
【００６１】
１  生地
３  掛け下げ部
３Ａ  掛け下げ基材
５  通気表面部
６  通気材
【図１】
2005290595.tif 000003
【図２】
2005290595.tif 000004
【図３】
2005290595.tif 000005